(57)【要約】【課題】外観は全体を貴金属粘土だけで製作したものと大差がないようにすると共に、貴金属粘土の使用量を大幅に節減できるようにした貴金属粘土製バックルを提供する。また、製作時、飾り板の変形を生ずることなく、安定して乾燥及び焼結ができるようにした貴金属粘土製バックルを提供する。【解決手段】一端１０１に、ベルト３０後端部を折り返して止めると共に、ベルト３０を挿通できるようにするためのリング１１を回動可能に支持する軸支体１１１を螺設できるようにし、他端１０２に、ベルト３０のパンチ穴３１０に留めるためのタング１２を螺設できるようにした金属製バックルホルダー１０のプレート１００に、貴金属粘土を前記プレート１００の全部又は一部に被覆焼結して、前記プレート１００に固着させてなるもの。【選択図】　　図５
2004049791.tif 000002
【特許請求の範囲】
【請求項１】
一端に、ベルト後端部を折り返して止めると共に、ベルトを挿通できるようにするためのリングを回動可能に支持する軸支体を螺設できるようにし、他端に、ベルトのパンチ穴に留めるためのタングを螺設できるようにした金属製バックルホルダーのプレートに、貴金属粘土を前記プレートの全部又は一部に被覆焼結して、前記プレートに固着させてなることを特徴とする貴金属粘土製バックル。
【発明の詳細な説明】
【０００１】
【発明の属する技術分野】
本発明は、貴金属粘土を使用したベルトバックルの飾り板に、ベルトの一端を折り返して止めると共に、ベルトを挿通できるようにするためのリングと、ベルトのパンチ穴に止めるためのタングとを備えた貴金属粘土製バックルに関する。
【０００２】
【従来の技術】
従来、貴金属粘土製ベルトバックルを製作しようとすれば、貴金属粘土を飾り板に成形し、飾り板表面に彫塑すると共に、飾り板裏面にリングとタングとを植設しなければならないが、貴金属粘土で成形した飾り板は乾燥及び焼結により変形しやすい欠点があった。
その上、指輪など比較的小さいものを製作する場合は、貴金属粘土の使用量は少なくてすむが、ベルトのバックルのように、比較的大きいものを製作する場合は、多くの貴金属粘土を必要とし、材料費が高価につく欠点があった。
【０００３】
【発明が解決しようとする課題】
本発明は、外観は全体を貴金属粘土だけで製作したものと大差がないようにすると共に、貴金属粘土の使用量を大幅に節減できるようにした貴金属粘土製バックルを提供するものである。
また、本発明は、製作時、飾り板の変形を生ずることなく、安定して乾燥及び焼結ができるようにした貴金属粘土製バックルを提供するものである。
【０００４】
【課題を解決するための手段】
本発明の貴金属粘土製バックルは、上記課題を解決するため、図示するように、一端１０１に、ベルト３０後端部を折り返して止めると共に、ベルト３０を挿通できるようにするためのリング１１を回動可能に支持する軸支体１１１を螺設できるようにし、他端１０２に、ベルト３０のパンチ穴３１０に留めるためのタング１２を螺設できるようにした金属製バックルホルダー１０のプレート１００に、貴金属粘土を前記プレート１００の全部又は一部に被覆焼結して、前記プレート１００に固着させてなるものである。
本発明において、バックルホルダーのプレートは、一端に、ベルト後端部を折り返してホック等で止めると共に、ベルトを挿通できるようにするためのリングを回動可能に支持する軸支体を螺孔を介して螺設できるようにすると共に、他端にベルトのパンチ穴に留めるためのタングを螺孔を介して螺設できるようにしたもので、貴金属粘土の焼結温度より耐熱温度が高い金属プレートが必要で、金粘土用にはステンレス鋼等、銀粘土用には洋白等が好ましい。
また、軸支体及びタングは、真鍮、洋白その他の金属が用いられ、下部がプレートの螺孔に螺入できるように、螺刻され、プレートを被覆した貴金属粘土が焼結したのち、プレートに螺入されることが好ましい。
また、本発明において、貴金属粘土は、銀粘土、金粘土その他の貴金属粘土が含まれる。
さらに、本発明において、貴金属粘土のプレートへの被覆は、プレートの全面又は一部に被覆されるが、貴金属粘土のプレートへの固着は、主として貴金属粘土の焼結による収縮を利用する。貴金属粘土の一部被覆によるものは、プレート表面及び側面への被覆、プレート表面の被覆とプレートの貫通孔を介して裏面とカシメ状に被覆するなどの被覆方法が行われる。
【０００５】
【発明の実施の形態１】
本発明の実施の形態１が図１乃至図６に示されている。
本実施例の金粘土製バックルは、図５に示すように、作業台５０上に、軸支体１１１の螺孔１０１０及びタング１２の螺孔１０２０が穿設されたバックルホルダー１０のステンレス鋼製プレート１００を、リング１１とリング軸支体１１１とタング１２を取り外して置き、前記プレート１００上で、金粘土２１によりプレート１００の表面及び側面を全面被覆し彫塑して、金粘土製飾り板２０に造形する。プレート１００の表面及び側面に被覆した金粘土２１が乾燥すれば、約１０００℃６０分間で金粘土２１を焼結すると、金粘土２１がプレート１００に固着する。次いで、プレート１００裏面の一端１０１に、螺孔１０１０を介して真鍮製円柱状のリング軸支体１１１を螺設し、真鍮製針金状リング１１が軸支体１１１の横孔１１０に回動可能に軸支されると共に、合わされたリング１１の切断端１１２、１１２が挿入内嵌できるように真鍮製パイプ１１３を外嵌しておく。また、他端１０２には、螺孔１０２０を介して先端球状の棒体からなる真鍮製タング１２を螺設し、研磨を経て製品ができあがることになる。
金粘土製バックルのリング１１にベルト３０の端部３２を折り返してホック３３で止着し、ベルト３０のパンチ穴３１０にタング１２を挿入すればウェストベルトとして着用される。
【０００６】
【発明の実施の形態２】
本発明の実施の形態２が図７乃至図１０に示されている。
本実施例の銀粘土製バックルは、図１０に示すように、作業台５０Ｂ上にバックルホルダー１０Ｂの洋白製プレート１００Ｂであって、各コーナーに貫通孔１０４Ｂ、１０４Ｂ、１０４Ｂ、１０４Ｂを設けたものを、リング１１Ｂとリング軸支体１１１Ｂとタング１２Ｂを取り外して置き、前記プレート１００Ｂ上で、銀粘土２１Ｂによりプレート１００Ｂの表面が全面被覆される共に、各貫通孔１０４に銀粘土２１Ｂを埋設し、彫塑して銀粘土製飾り板２０Ｂに造形される。
プレート１００Ｂの表面に被覆及び各貫通孔１０４Ｂに嵌入した銀粘土２１Ｂが乾燥すれば、プレート１００Ｂを裏返しして、プレート１００Ｂの裏面の各貫通孔１０４Ｂに銀粘土２１Ｂをかしめるように嵌入し、表面側の各貫通孔１０４Ｂに入れられた銀粘土２１Ｂと接合しておく、次いで、銀粘土２１Ｂの乾燥が完了すれば、約６００℃３０分間焼結すると、銀粘土２１Ｂがプレート１００Ｂに固着する。次いで、プレート１００Ｂ裏面の一端１０１Ｂに、螺孔１０１０Ｂを介して洋白製円柱状のリング軸支体１１１Ｂを螺設し、洋白製針金状リング１１Ｂが軸支体１１１Ｂの横孔１１０Ｂに回動可能に軸支すると共に、合わされたリング１１Ｂの切断端１１２Ｂ、１１２Ｂが挿入内嵌できるように洋白製パイプ１１３Ｂを外嵌しておく。また、他端１０２Ｂは螺孔１０２０Ｂを介して先端球状の棒体からなる洋白製タング１２Ｂを螺設し、研磨を経て製品ができあがることになる。
【０００７】
【発明の実施の形態３】
本発明の実施の形態３が図１１乃至図１２に示されている。
本実施例の金粘土製バックルは、図１２が示すように、作業台５０Ｃの合成樹脂製フィルム４０Ｃ上に、バックルホルダー１０Ｃのステンレス鋼製プレート１００Ｃをリング１１Ｃとリング軸支体１１１Ｃとタング１２Ｃを取り外して置き、前記プレート１００Ｃ上で、金粘土２１Ｃによりプレート１００Ｃの表面及び側面が全面被覆され、彫塑されて、金粘土製飾り板２０Ｃに造形される。プレート１００Ｃの表面及び側面に被覆した金粘土２１Ｃが乾燥すれば、プレート１００Ｃを裏返しして、螺孔１０１０Ｃ及び螺孔１０２０Ｃ及びそのまわりを除いて裏面を金粘土２１Ｃで全面被覆する。裏面の金粘土２１Ｃが乾燥すれば、約１０００℃６０分間で焼結すると、金粘土２１Ｃがプレート１００Ｃに固着する。次いで、プレート１００Ｃ裏面の一端１０１Ｃに、螺孔１０１０Ｃを介して真鍮製円柱状のリング軸支体１１１Ｃを螺設し、真鍮製針金状リング１１Ｃが軸支体１１１Ｃの横孔１１０Ｃに回動可能に軸支すると共に、合わされたリング１１Ｃの切断端（図示しない）挿入内嵌できるように、真鍮製パイプ１１３Ｃを外嵌しておく。また、他端１０２Ｃは螺孔１０２０Ｃを介して先端球状の棒体からなる真鍮製タング１２Ｃを螺設し、研磨を経て製品ができあがることになる。
【発明の効果】
本発明によれば、貴金属製のベルトバックルが、貴金属粘土を使用して、簡単、容易かつ短時間に製作できる上に、貴金属粘土をバックルホルダーのプレート被覆物として造形して、高価な貴金属粘土を大幅に節減できると共に、強度の必要なリングや、タングを強固に取り付けられる利点がえられた。
【図面の簡単な説明】
【図１】本発明の実施の形態を示す斜視図である。
【図２】図１の裏面の斜視図である
【図３】図１のＡ−Ａ断面図である。
【図４】図２のバックルホルダーを裏面から見た斜視図である。
【図５】図１の金粘土をプレートに被覆する段階を示す説明図である。
【図６】図１の使用状態説明図である。
【図７】本発明の別の実施の形態を示す平面図である。
【図８】図７のＢ−Ｂ断面図である。
【図９】図８のバックルホルダーを裏面から見た斜視図である。
【図１０】図７の銀粘土をプレートに被覆する段階を示す説明図である。
【図１１】本発明さらに別の実施の形態を示す断面図である。
【図１２】図１１の金粘土をプレートに被覆する段階を示す説明図である。
【符号の説明】
１０、１０Ｂ、１０Ｃ　　　　　バックルホルダー
１００、１００Ｂ、１００Ｃ　　プレート
１０１、１０１Ｂ、１０１Ｃ　　プレートの一端
１０２、１０２Ｂ、１０２Ｃ　　プレートの他端
１１、１１Ｂ、１１Ｃ　　　　　リング
１１１、１１１Ｂ、１１１Ｃ　　軸支体
１２、１２Ｂ、１２Ｃ　　　　　タング
２０、２０Ｂ、２０Ｃ　　　　　飾り板
３０　　　　　　　　　　　　　ベルト
３１０　　　　　　　　　　　　ベルトのパンチ穴
３２　　　　　　　　　　　　　ベルトの後端
【図１】
2004049791.tif 000003
【図２】
2004049791.tif 000004
【図３】
2004049791.tif 000005
【図４】
2004049791.tif 000006
【図５】
2004049791.tif 000007
【図６】
2004049791.tif 000008
【図７】
2004049791.tif 000009
【図８】
2004049791.tif 000010
【図９】
2004049791.tif 000011
【図１０】
2004049791.tif 000012
【図１１】
2004049791.tif 000013
【図１２】
2004049791.tif 000014